(57)【特許請求の範囲】
【請求項１】
内容物を収容する内容器と該内容器を収容する外容器との二重構造を有する容器本体、及び内容物を吐出するノズル部を備えたスクイズ容器であって、内容器内に撹拌用部材を有し、ノズル部に吐出弁を有し、外容器は、その胴部に、内容器と外容器との間に空気を流入させる逆止弁を有すると共に、外容器の上面を形成する蓋と下面を形成する外容器本体を有し、蓋はスクイズ可能な可撓性の天面部を有し、該天面部と外容器本体の非スクイズの硬質の面とが対向しているスクイズ容器。
【請求項２】
撹拌用部材がマグネティックスターラーの撹拌子である請求項１記載のスクイズ容器。
【請求項３】
逆止弁が、外容器に直接嵌合された３点弁である請求項１または２記載のスクイズ容器。
【請求項４】
ノズル部として、容器本体に着脱自在なノズル部材を備え、該ノズル部材と交換可能に容器本体に取り付けられる充填用キャップを備え、該充填用キャップは、内容器内への内容物の充填を可能とする充填弁を有する請求項１〜３のいずれかに記載のスクイズ容器。
【発明の詳細な説明】
【技術分野】
【０００１】
本発明は、デザイン性に優れた二重構造のスクイズ容器に関する。
【背景技術】
【０００２】
その向きに関わらず内容物を吐出できる容器として、容器本体が、内容物を収容する内容器と、内容器を収容する外容器との二重構造を有するスクイズ容器がある。
【０００３】
この二重構造のスクイズ容器では、構造上、内容物を吐出させ、空気の逆戻りを防止する吐出弁と、内容器と外容器との間に空気を流入させ、外容器の変形を復元させる逆止弁が設けられるところ、その設置態様としては、吐出弁も逆止弁も容器本体の口部に設けたもの（特許文献１、特許文献２）や、吐出弁を容器本体の口部に設け、容器本体の自立姿勢を確保するために容器本体の底部にベースカップを取り付け、そのベースカップに逆止弁を設けたもの（特許文献３）が知られている。
【先行技術文献】
【特許文献】
【０００４】
【特許文献１】特開２００２−１１４２７９号公報
【特許文献２】特開２００３−３２１０３８号公報
【特許文献３】特開２００５−４１５１４号公報
【発明の概要】
【発明が解決しようとする課題】
【０００５】
ところで、スクイズ容器を二剤式染毛剤の吐出容器として使用する場合、スクイズ容器には、片手で簡単に把持できるように外形が小型化し、かつ、一回の頭髪の染毛に必要な剤を収容し得る内容積を有し、さらに、二剤を容器内で十分に混合できるデザインにすることが求められる。
【０００６】
しかしながら、特許文献１や特許文献２に記載されているように、吐出弁と逆止弁を共に容器本体の口部に設けると、口部の構造が複雑になるために、口部のキャップが大きくなったり、長くなったりし、容器のデザイン上の自由度が損なわれる。
【０００７】
また、特許文献３に記載のように、容器本体にベースカップを取り付ける場合にも、容器のデザイン上の自由度が損なわれ、さらに、スクイズ容器全体の嵩が不用に大きくなるという問題も生じる。
【０００８】
これに対し、本発明は、二重構造を有するスクイズ容器を、二剤式染毛剤の吐出容器として使用する場合にも適するように、内容物の収容量を最大限確保しつつ外形を小型化し、さらに、スクイズ容器内で内容物の混合を十分に行えるようにすることを目的とする。
【課題を解決するための手段】
【０００９】
上述の目的を達成するため、本発明は、内容物を収容する内容器と該内容器を収容する外容器との二重構造を有する容器本体、及び内容物を吐出するノズル部を備えたスクイズ容器であって、内容器内に撹拌用部材を有し、ノズル部に吐出弁を有し、外容器の胴部に、内容器と外容器との間に空気を流入させる逆止弁を有するスクイズ容器を提供する。
【発明の効果】
【００１０】
本発明のスクイズ容器によれば、吐出弁はノズル部に設けられるが、逆止弁は外容器の胴部に設けられるので、ノズル部の構造が簡単になり、ノズル部の内容積を低減させることができる。このため、内容器に内容物として二剤式染毛剤のように混合を要する二つの剤を充填後、それらを混合する際に、内容物がノズル部内で滞留して混合が不十分となることを防止でき、また、スクイズを繰り返しても内容器内に残留してしまう内容物の残留量を低減させることができる。
【００１１】
さらに、本発明のスクイズ容器によれば、内容器内に撹拌用部材を有するので、内容器に二つの剤を充填する場合に、ヘッドスペースを残さずに二つの剤を充填しても、それらを良好に撹拌混合することが可能となる。したがって、スクイズ容器の内容積を、所定の充填量に対してヘッドスペース分を加えた大きさにすることが不要となり、その分スクイズ容器を小型化することができる。
【００１２】
加えて、本発明のスクイズ容器によれば、ノズル部、容器本体が、それぞれ吐出弁、逆止弁を有し、吐出弁、逆止弁をノズル部、容器本体に取り付けるための別個の取付部材を使用しないため、スクイズ容器の部品点数を低減して製造コストを低下させることが可能となる。
【図面の簡単な説明】
【００１３】
【図１】図１は、実施例のスクイズ容器の斜視図及び断面図である。
【図２】図２は、ノズル部材に代えて充填用キャップを取り付けたスクイズ容器の斜視図及び断面図である。
【図３】図３は、スクイズ容器の部品図である。
【図４】図４は、スクイズ容器の使用方法の説明図である。
【図５】図５は、スクイズ時及び復元時の作用の説明図である。
【発明を実施するための形態】
【００１４】
以下、図面を参照しつつ、本発明を具体的に説明する。
図１は、二剤式染毛剤等の吐出容器として使用される、本発明の一実施例のスクイズ容器１の斜視図（ａ）及びそのＸ−Ｘ断面図（ｂ）であり、図３は、その部品図である。
【００１５】
このスクイズ容器１は、容器本体１０と、容器本体１０から内容物を吐出するノズル部４０を備えている。容器本体１０は、内容物を収容する内容器２０と、内容器２０を収容する外容器３０との二重構造を有する。
【００１６】
内容器２０は、その本体部分が柔軟な樹脂材料から形成されている。また、内容器２０は、初期形状として概略扁平な円筒形状であり、その側面から口部２１がノズル部４０の基部に挿入可能に突出し、口部２１の端縁にはフランジ２２が、外容器３０の口部３２の内壁に嵌合可能に形成されている。これにより、外容器３０に対する内容器２０の着脱が容易となり、また、ノズル部４０内での内容器２０と外容器３０との密着性が向上する。したがって、外容器３０から内容器２０を取り外し、洗浄し、再度内容物を充填して使用するというレフィル容器としての使用が可能となり、その場合の使い勝手を向上させることができる。
【００１７】
なお、本発明において、内容器２０は、外容器３０の内面に剥離可能に積層された、所謂デラミ容器としてもよく、また、使い捨て容器として形成することもできる。
【００１８】
外容器３０も概略扁平な円筒形状を有し、その内部に内容器２０を嵌め込めるように形成されている。ここで、概略扁平な円筒形状とは、その高さが底面の径よりも低いものをいう。上面３０ａと下面３０ｂはそれぞれわん曲していても良い。外容器３０の大きさは、好ましくは、片手の親指と残りの指で上面と下面を挟んでスクイズできるように、例えば、外径Ｄを６０〜１００ｍｍ、高さＨを外径Ｄの１／２〜４／５とすることが好ましい。
【００１９】
本実施例において、外容器３０は、外容器本体３１と蓋３５で形成されている。外容器本体３１は、非可撓性の硬質樹脂材料で形成され、その側面から口部３２がノズル部４０の基部に挿入可能に突出している。
【００２０】
蓋３５は、その天面部３６がスクイズ可能な可撓性樹脂材料で形成され、周縁部３７が外容器本体３１の周縁部３３と螺合可能に形成されている。ここで、蓋３５の周縁部３７と外容器本体３１の周縁部３３との螺合部分は、周縁部３７を外容器本体３１の周縁部３３ａ、３３ｂで挟み込むように形成されており、外容器本体３１と蓋３５との気密性を向上させるものとなっている。
【００２１】
このように外容器３０において、非スクイズ性の硬質の面とスクイズ可能な可撓性の面を対向させることにより、より具体的には、硬質の外容器本体３１とスクイズ可能な蓋３５とを対向させることにより、外容器３０を片手で把持し、親指で蓋３５を押圧するだけで外容器３０を容易にスクイズすることが可能となり、かつ、スクイズ時にノズル部４０の位置がぶれにくくなるので、内容物を所期の位置に、位置ずれなく塗布することが容易となる。
【００２２】
なお、本発明において、外容器３０は、必ずしも外容器本体３１と蓋３５との二部材から形成しなくてもよく、それらを一体に形成してもよいが、着脱自在の二部材とすることが、内容器２０の取り出しと洗浄を容易にする点で好ましい。
【００２３】
また、蓋３５もしくは内容器２０には、内容物を内容器２０に充填するときに、充填量の目安となるよう、目盛３８を付しておくことが好ましい。
【００２４】
本発明において、外容器３０の胴部には、内容器２０と外容器３０との間に空気を流入させることを可能とする逆止弁５０が設けられる。ここで、外容器３０の胴部とは、口部３２以外の領域をいう。より具体的には、例えば、本実施例のように、外容器３０の底部に設けられる。逆止弁５０としては、３点弁、２点弁、片開き弁等を設けることができるが、気密性を確保しやすく、繰り返し使用に適する等の点から３点弁を使用することが好ましい。また、その取り付け方法としては、部品点数を低減させる点から、図１に示したように、外容器３０の壁面に直接嵌合させることが好ましい。
【００２５】
本実施例のスクイズ容器１において、内容器２０内には、撹拌用部材として、マグネティックスターラーの撹拌子６０が収容されている。撹拌用部材としては、金属球等を収容してもよいが、マグネティックスターラーの撹拌子６０を収容することにより、内容器２０内にヘッドスペースをほとんど残すことなく内容物を収容した場合でも、マグネティックスターラーを用いて内容物全体を速やかに均一に撹拌混合することが可能となるので好ましい。
【００２６】
一方、ノズル部４０は、その基部が外容器３０の口部３２と螺合することにより外容器３０に対して着脱自在なノズル部材として構成されている。このようにノズル部４０を着脱自在とすることにより、スクイズ容器１の洗浄が容易となるので好ましい。
【００２７】
ノズル部４０の基部内部には、内容器２０から内容物が吐出することを可能とする吐出弁５１が設けられている。吐出弁５１としては、３点弁、２点弁、片開きの弁等が好ましい。吐出弁５１の上流側には、撹拌用部材が吐出弁５１に当たることを防止する格子４１が設けられている。
【００２８】
また、ノズル部４０は、その先端の開口端４２の周りにブラシ部４３を有している。なお、本発明において、ブラシ部４３を省略してもよく、ノズル部４０は、例えば、先細のノズル状に構成してもよい。
【００２９】
図３に示すように、本実施例のスクイズ容器１は、ノズル部材４０と交換可能に外容器３０に取り付けられる充填用キャップ７０を備えている。
【００３０】
図２は、容器本体１０に充填用キャップ７０を取り付けた状態のスクイズ容器１の斜視図と断面図である。同図に示すように、充填用キャップ７０は、内容器２０内への内容物の充填を可能とする充填弁７１と空気抜き用チューブ７２を備えている。空気抜き用チューブ７２は、内容器２０内への内容物の充填時に内容器２０内の空気が抜けるようにするものである。
【００３１】
図４は、このスクイズ容器１の使用方法の説明図である。スクイズ容器１の使用に際しては、まず、容器本体１０に充填用キャップ７０を取り付け、図４（ａ）に示すように、二剤式染毛剤の第２剤が充填されたポンプ容器又はエアゾール容器８０の口部に充填用キャップ７０の開口端を押し当て、内容器２０に第２剤Ａ２を充填する。引き続き、同図（ｂ）に示すように、二剤式染毛剤の第１剤が充填されたポンプ容器又はエアゾール容器８１の口部に充填用キャップ７０の開口端を押し当て、内容器２０に第１剤Ａ１を充填する。次いで、充填用キャップ７０をノズル部材４０と付け替え、同図（ｃ）に示すように、マグネティックスターラー６１上でマグネティックスターラーの撹拌子６０を回転させ、内容器２０内の第１剤と第２剤を撹拌混合する。その後、同図（ｄ）に示すように、スクイズ容器１をスクイズし、第１剤と第２剤との混合物Ａを吐出させる。
【００３２】
このスクイズ時には、図５（ａ）に示すように、蓋３５が凹む。このとき、逆止弁５０により外容器３０内の空気は漏れないので、外容器３０内の内圧が上がり、内容器２０が押圧される。そこで、内容器２０内の内容物がノズル部４０内の吐出弁５１を通って吐出する。蓋３５への押圧を解除すると、蓋３５は元の形状に復元し、それに伴い外容器３０内が減圧になるが、図５（ｂ）に示すように逆止弁５０を通して内容器２０と外容器３０との間に外気が流入し、外容器３０内は常圧に戻る。一方、吐出弁５１により内容器２０内には空気が入ってこないため、内容器２０は内容物の吐出によりつぶれたままの形状を維持する。以降、同様に、蓋３５の押圧とその解除を繰り返すことにより、内容器２０から内容物を吐出させることができ、吐出の度に内容器２０がつぶれていく。
【００３３】
このスクイズ操作においては、片手でスクイズ容器１を把持し、親指で蓋３５を押圧するだけで容易にスクイズすることができる。また、内容物を吐出させる位置が押圧操作によりぶれることを防止できる。
【００３４】
内容物の吐出が終了した後は、スクイズ容器１を、ノズル部４０、外容器本体３１、蓋３５及び内容器２０に分解することができるので、それらを洗浄し、再使用することが可能となる。
【産業上の利用可能性】
【００３５】
本発明のスクイズ容器は、二剤式染毛剤、二剤式接着剤、塗料、料理用クリーム等の種々の内容物の吐出容器として有用である。
【符号の説明】
【００３６】
１    スクイズ容器
１０    容器本体
２０    内容器
２１    口部
２２    フランジ
３０    外容器
３１    外容器本体
３２    口部
３３    外容器本体の周縁部
３５    蓋
３６    蓋の天面部
３７    蓋の周縁部
３８    目盛
４０    ノズル部（ノズル部材）
４１    格子
４２    開口端
４３    ブラシ部
５０    逆止弁
５１    吐出弁
６０    マグネティックスターラーの撹拌子
６１    マグネティックスターラー
７０    充填用キャップ
７１    充填弁
７２    空気抜き用チューブ
８０    ポンプ容器又はエアゾール容器
８１    ポンプ容器又はエアゾール容器
【図１】
0005471360.tif 000002
【図２】
0005471360.tif 000003
【図３】
0005471360.tif 000004
【図４】
0005471360.tif 000005
【図５】
0005471360.tif 000006